(57)【要約】【課題】体液を十分に保持して体液の漏れを防ぐことが可能な、皮膚に貼り付けて使用される体液吸収物品を提供する。【解決手段】皮膚に貼り付けて使用される体液吸収物品が提供される。前記体液吸収物品は、シート材と、あて材とを備える。前記シート材は、疎水性の材料からなるシート本体と、前記シート本体の前記皮膚側に配置され、皮膚に貼り付けられる粘着層とを含む。前記あて材は、液体保持性を有し、前記シート材の前記皮膚側の表面の一部に配置される。前記シート材の前記皮膚側の表面には、多数の溝からなる溝パターンが形成されている。【選択図】図３
2018057421.tif 000002
【特許請求の範囲】
【請求項１】
皮膚に貼り付けて使用される体液吸収物品であって、
疎水性の材料からなるシート本体と、前記シート本体の前記皮膚側に配置され、前記皮膚に貼り付けられる粘着層とを含むシート材と、
液体保持性を有し、前記シート材の前記皮膚側の表面の一部に配置されるあて材と
を備え、
前記シート材の前記皮膚側の表面には、多数の溝からなる溝パターンが形成されている、
体液吸収物品。
【請求項２】
前記溝パターンは、互いに概ね平行に延びる複数の第１溝を含む、
請求項１に記載の体液吸収物品。
【請求項３】
前記溝パターンは、前記第１溝に交差するように延びる複数の第２溝をさらに含む、
請求項２に記載の体液吸収物品。
【請求項４】
前記第２溝は、前記第１溝に概ね直交するように延びる、
請求項３に記載の体液吸収物品。
【請求項５】
前記第１溝は、前記シート材の長手方向又は前記長手方向に直交する短手方向に概ね平行に延びる、
請求項２から４のいずれかに記載の体液吸収物品。
【請求項６】
前記あて材は、親水性の材料からなる親水性層と、前記親水性層の前記皮膚側に配置され、親油性の材料からなる親油性層とを含む、
請求項１から５のいずれかに記載の体液吸収物品。
【請求項７】
前記溝パターンは、前記粘着層に形成されている、
請求項１から６のいずれかに記載の体液吸収物品。
【請求項８】
前記シート本体は、疎水性の繊維からなる、
請求項１から７のいずれかに記載の体液吸収物品。
【請求項９】
前記シート材は、前記体液吸収物品において前記皮膚側と反対側の最外面を構成し、前記皮膚側の表面から前記最外面にかけて液透過性を有する、
請求項１から８のいずれかに記載の体液吸収物品。
【発明の詳細な説明】
【技術分野】
【０００１】
本発明は、皮膚に貼り付けて使用される体液吸収物品に関する。
【背景技術】
【０００２】
従来より、身体から漏出した血液や組織液等の体液を吸収して保持するための様々な体液吸収物品が知られている。典型的な体液吸収物品は、特許文献１に示すように、液透過性の表面シートと液不透過性の裏面シートと両シート間の吸収体とを含み、裏面シートの外面に設けられた粘着剤により下着に貼り付ける仕様となっている。
【先行技術文献】
【特許文献】
【０００３】
【特許文献１】特開２０１３−１０２９５０号公報
【発明の概要】
【発明が解決しようとする課題】
【０００４】
しかしながら、下着に貼り付ける従来の仕様では、身体と体液吸収物品との密着性が必ずしも十分ではなく、両者のずれにより体液の漏れが生じ得る。一方で、絆創膏のように、体液吸収物品を皮膚に貼り付ける仕様にすると、体液の保持量が十分に確保されず、やはり体液の漏れが生じ得る。
【０００５】
本発明は、体液を十分に保持して体液の漏れを防ぐことが可能な、皮膚に貼り付けて使用される体液吸収物品を提供することを目的とする。
【課題を解決するための手段】
【０００６】
第１観点に係る体液吸収物品は、皮膚に貼り付けて使用される体液吸収物品であって、シート材と、あて材とを備える。前記シート材は、疎水性の材料からなるシート本体と、前記シート本体の前記皮膚側に配置され、前記皮膚に貼り付けられる粘着層とを含む。前記あて材は、液体保持性を有し、前記シート材の前記皮膚側の表面の一部に配置される。前記シート材の前記皮膚側の表面には、多数の溝からなる溝パターンが形成されている。
【０００７】
第２観点に係る体液吸収物品は、第１観点に係る体液吸収物品であって、前記溝パターンは、互いに概ね平行に延びる複数の第１溝を含む。
【０００８】
第３観点に係る体液吸収物品は、第２観点に係る体液吸収物品であって、前記溝パターンは、前記第１溝に交差するように延びる複数の第２溝をさらに含む。
【０００９】
第４観点に係る体液吸収物品は、第３観点に係る体液吸収物品であって、前記第２溝は、前記第１溝に概ね直交するように延びる。
【００１０】
第５観点に係る体液吸収物品は、第２観点から第４観点のいずれかに係る体液吸収物品であって、前記第１溝は、前記シート材の長手方向又は前記長手方向に直交する短手方向に概ね平行に延びる。
【００１１】
第６観点に係る体液吸収物品は、第１観点から第５観点のいずれかに係る体液吸収物品であって、前記あて材は、親水性の材料からなる親水性層と、前記親水性層の前記皮膚側に配置され、親油性の材料からなる親油性層とを含む。
【００１２】
第７観点に係る体液吸収物品は、第１観点から第６観点のいずれかに係る体液吸収物品であって、前記溝パターンは、前記粘着層に形成されている。
【００１３】
第８観点に係る体液吸収物品は、第１観点から第７観点のいずれかに係る体液吸収物品であって、前記シート本体は、疎水性の繊維からなる。
【００１４】
第９観点に係る体液吸収物品は、第１観点から第８観点のいずれかに係る体液吸収物品であって、前記シート材は、前記体液吸収物品において前記皮膚側と反対側の最外面を構成し、前記皮膚側の表面から前記最外面にかけて液透過性を有する。
【発明の効果】
【００１５】
本発明によれば、体液を吸収するためのあて材と、あて材を皮膚に貼り付けるための粘着層を含むシート材とを備える体液吸収物品が提供される。そして、シート材の皮膚側の表面には、多数の溝からなる溝パターンが形成される。その結果、あて材で吸収されず、シート材の表面上に漏出してしまった体液は、シート材の表面の多数の溝に捉えられることになる。また、シート材の本体部であるシート本体が、疎水性の材料から構成されるため、シート材の表面上に漏出した体液は、外部に浸み出す前に、毛細管現象により溝に沿ってシート材の表面を移動する。その結果、体液がシート材の表面で分散し、シート材がより多くの体液を保持可能となる。以上より、皮膚に貼り付けて使用される体液吸収物品において、体液を十分に保持して体液の漏れを防ぐことができる。
【図面の簡単な説明】
【００１６】
【図１】本発明の一実施形態に係る体液吸収物品の平面図。
【図２】剥離紙を取り外した状態の体液吸収物品の平面図。
【図３】図２の側面図。
【図４Ａ】あて材の使用時の様子を示す側面図。
【図４Ｂ】あて材の使用時の様子を示す別の側面図。
【図４Ｃ】あて材の使用時の様子を示すさらに別の側面図。
【図４Ｄ】あて材の使用時の様子を示すさらに別の側面図。
【図５】シート材の部分拡大側面図。
【図６】シート材の部分拡大平面図。
【図７】本発明の一実施形態に係る体液吸収物品と油性薬剤とを含むパッケージ製品を示す図。
【図８】変形例に係る体液吸収物品の側面図。
【図９Ａ】別の変形例に係るシート材の部分拡大側面図。
【図９Ｂ】別の変形例に係るシート材の部分拡大側面図。
【発明を実施するための形態】
【００１７】
以下、図面を参照しつつ、本発明の一実施形態に係る体液吸収物品について説明する。
【００１８】
＜１．体液吸収物品の全体構成＞
図１〜図３に、本実施形態に係る体液吸収物品１の全体構成図を示す。図１及び図２は、体液吸収物品１の平面図であり、図３は、その側面図である。これらの図に示すように、体液吸収物品１は、血液や組織液等の体液を吸収するための液体保持性を有するあて材２と、あて材２を皮膚に接触させて固定するためのシート材３とを備え、皮膚に貼り付けて使用される。体液吸収物品１は、身体から漏出する体液を吸収して、下着を含む衣類の汚れを防ぐ他、患部を保護し治療する等の目的で使用される。体液吸収物品１は、体液が漏出し得る身体の様々な部位に取り付けることができ、その取り付け部位は特に限定されないが、痔の治療に適しており、臀部、特に肛門付近に張り付けて使用することができる。
【００１９】
シート材３は、シート本体３０と、シート本体３０上に形成される粘着層３１とから構成される。粘着層３１は、皮膚に貼り付けられ、体液吸収物品１を皮膚に固定する役割を果たす。あて材２は、シート材３の皮膚側の表面３ａ、すなわち、粘着層３１の表面上に配置される。なお、粘着層３１を皮膚に貼り付けることができるよう、あて材２は、シート材３の表面３ａの一部のみ、より具体的には、長手方向の中央部分のみを覆っている。以上により、シート材３の粘着層３１が皮膚に貼り付けられた状態で、あて材２の皮膚側の表面２ａが皮膚に接触することになる。
【００２０】
図１に示すように、体液吸収物品１の使用前の状態においては、粘着層３１は、粘着層３１に貼り付けられている剥離紙４により保護されている。そして、体液吸収物品１の使用時には、この剥離紙４を取り外し（図２参照）、あて材２の表面２ａを患部に接触させるように粘着層３１を皮膚に貼り付ける。なお、体液吸収物品１の使用状態、すなわち、皮膚に貼り付けられた状態においては、図３の上側が皮膚側に相当し、下側がその反対の外面側に相当する。以下では、「上」及び「下」とは、特に断らない限り、図３の状態を基準に定義される。
【００２１】
本実施形態に係る体液吸収物品１は、体液の漏れを効果的に防ぐための様々な工夫が施されている。具体的には、シート材３の皮膚側の表面３ａには、後述する溝パターンが形成されており、これにより、体液を十分に保持して体液の漏れを防ぐことができる。また、本実施形態に係る体液吸収物品１は、油性成分を含む薬剤（以下、油性薬剤という）５を皮膚に塗布する際に使用されることも想定されており、油性薬剤の使用時であっても体液の漏れを防止でき、さらにはベタつくことなく、しっとりとした使用感をもたらすよう、あて材２にも工夫が施されている。以下、ここでいう油性薬剤について説明した後、あて材２及びシート材３について詳細に説明する。
【００２２】
＜２．各部の詳細構成＞
＜２−１．油性薬剤＞
油性薬剤５の種類としては、軟膏剤、クリーム剤、液剤、ジェル剤等の任意の種類を選択することができる。油性薬剤５は、油性成分を含む薬剤である。油性薬剤５全体における油性成分の含有量は、特に制限されないが、１重量％以上であることが好ましく、１０重量％以上であることがより好ましく、２０重量％以上であることがさらに好ましく、２０〜１００重量％であることが特に好ましい。油性薬剤５とは、典型的には、基剤の中に、生体に対して生理活性を有する薬効成分が分散しているものを言うが、薬効成分を含有せずに、基剤のみからなる場合も含まれる。基剤が油性成分である場合の好ましい例としては、ワックス、液状油、多価アルコール等の成分そのもの、又はこれらの成分を乳化して得られる乳化物が挙げられる。ワックスの例としては、白色ワセリン、ゲル化炭化水素、マイクロクリスタリンワックス、パラフィンワックス、セタノール、セトステアリルアルコール、ステアリルアルコール、ベヘニルアルコール、サラシミツロウ、ラノリンアルコール等が挙げられ、液状油の例としては、流動パラフィン、形質流動パラフィン、合成スクワラン、ミリスチン酸イソプロピル、ジメチルポリシロキサン等が挙げられ、多価アルコールの例としては、濃グリセリン、１，３−ブチレングリコール、プロピレングリコール、ジプロピレングリコール等が挙げられる。
【００２３】
＜２−２．あて材＞
次に、あて材２について説明する。あて材２は、積層構造を有し、親水性の材料からなる親水性層２１と、親水性層２１の上面に形成され、親油性の材料からなる親油性層２２とを含む。親油性層２２を構成する材料としては、典型的には、親油性を示すもののうち、疎水性を示すものが選択される。また、親水性層２１は、吸水性を示す層であり、親油性層２２は、吸油性を示す層である。なお、ここでいう親油性とは、油性薬剤５に含まれる油性成分に対して親和性を示す特性のことを言う。
【００２４】
親油性層２２の上面は、あて材２の最上面（皮膚側の表面）２ａに相当し、皮膚との接触面を構成する。親水性層２１の下面は、あて材２の最下面（皮膚と反対側の表面）２ｂに相当し、シート材３の粘着層３１との結合面を構成する。本実施形態に係るあて材２は、平面視において矩形状であるが、勿論、円形、楕円形、多角形等、任意の形状とすることができる。
【００２５】
親油性層２２は、液透過性であり、内部に微細な空間が形成された構造を有し、本実施形態では、不織布からなる。しかしながら、この例に限らず、親油性層２２は、例えば、織布や紙等の他の親油性の繊維から構成される構造体とすることもできる。ただし、あて材２のクッション性及び肌触りを向上させる観点からは、親油性層２２は、不織布からなることが好ましい。親油性層２２の材料の好ましい例としては、ポリプロピレン、ポリエチレン、ポリエチレンテレフタレート、ポリエステル、ポリアミド等の繊維を挙げることができる。また、親油性層２２は、非親油性の材料からなる層に親油処理（一部の撥水処理を含む）を施すことで形成されてもよい。
【００２６】
親油性層２２の厚みは、０．１ｍｍ以上であることが好ましく、０．３ｍｍ以上であることがより好ましい。また、親油性層２２の厚みは、３ｍｍ以下であることが好ましく、１．５ｍｍ以下であることがより好ましい。
【００２７】
親水性層２１は、主として体液を保持する役割を果たし、親油性層２２に対し皮膚との接触面２ａの反対側に配置される。本実施形態では、親水性層２１は、複数の層２１ａ，２１ａを貼り合わせた積層体として構成される。これにより、親水性層２１、ひいてはあて材２のクッション性が増し、体液吸収物品１の張り付けられた皮膚表面を保護することができ、肌触りを向上させることができる。さらに、親水性層２１で保持可能な体液の保持量を増加させることができる。
【００２８】
親水性層２１も、液透過性であり、内部に微細な空間が形成された構造を有し、本実施形態では、不織布からなる。しかしながら、この例に限らず、親水性層２１は、例えば、織布や紙等の他の親水性の繊維から構成される構造体とすることもできる。ただし、あて材２のクッション性及び肌触りを向上させる観点からは、親水性層２１は、不織布からなることが好ましい。親水性層２１の材料の好ましい例としては、パルプ、レーヨン、アセテート等のセルロース系繊維等の繊維を挙げることができる。また、親水性層２１は、非親水性の材料からなる層に親水処理を施すことで形成されてもよい。
【００２９】
以上の構成を有することにより、あて材２は、体液の漏れを防ぐことができる他、油性薬剤５の使用感を向上させることができる。すなわち、あて材２の表面２ａ又は皮膚表面に油性薬剤５を塗布した後に（図４Ａ参照）、体液吸収物品１を皮膚に貼り付ける場面を考える。このとき、油性薬剤５は、あて材２の表面２ａに指で押圧されたり、あて材２の表面２ａと皮膚との間で圧縮される。しかしながら、あて材２の表面２ａは親油性層２２で形成されているため、油性薬剤５は、親油性層２２の内部の隙間へと容易に入り込むことができ（図４Ｂ参照）、多量の油性薬剤５があて材２の表面２ａに留まることがない。一方で、親油性層２２の下方の層は親水性層２１であるため、親油性層２２に入り込んだ油性薬剤５が親水性層２１にまで進みにくく、これにより、あて材２の表面２ａに油性薬剤５を適度に留めることができる。これにより、油性薬剤５を適度に皮膚に供給することができ、さらにベタつかず、しっとりとした使用感が達成される。
【００３０】
また、仮に、油性薬剤５が表面２ａからあて材２の内部に入り込まないと、表面２ａの全体に油性薬剤５が広がってしまう。表面２ａの全体に油性薬剤５の層が形成されると、かかる層が体液の経路を塞ぎ、体液はその部分を通過できなくなってしまう。しかしながら、本実施形態では、油性薬剤５が、あて材２の表層を形成する親油性層２２に速やかに入り込むため、あて材２の表面２ａに油性薬剤５の層が広範囲に亘って過度に広がることがない。その結果、体液は、表面２ａにおいて油性薬剤５の層が形成されていない部分を介して、毛細管現象により親油性層２２を通過する。その後、体液は、下方の親水性層２１に引き込まれ、そこで保持される（図４Ｃ参照）。これにより、体液の横漏れを防ぐことができる。また、一度、親水性層２１に保持された体液は、親油性層２２にブロックされるため、表面２ａへの体液の逆戻りが抑制される（図４Ｄ参照）。
【００３１】
以上のとおり、余分な油性薬剤５は親油性層２２に吸収され、体液は親水性層２１に吸収される。これにより、油性薬剤５及び体液が皮膚と粘着層３１との間に入り込むことが抑制され、体液吸収物品１の皮膚からの剥離も防止される。
【００３２】
あて材２の厚みは、３ｍｍ以上であることが好ましく、５ｍｍ以上であることがより好ましい。また、あて材２の厚みは、３０ｍｍ以下であることが好ましく、２０ｍｍ以下であることがより好ましく、１８ｍｍ以下であることがさらに好ましい。また、あて材２の圧縮され易さ又は柔らかさを表す指標である、ＷＣ値（圧縮エネルギー値）は、２０ｇｆｃｍ／ｃｍ2以上であることが好ましく、２５ｇｆｃｍ／ｃｍ2以上であることがより好ましく、３０ｇｆｃｍ／ｃｍ2以上であることがさらに好ましい。また、あて材２のＷＣ値は、１００ｇｆｃｍ／ｃｍ2以下であることが好ましく、８０ｇｆｃｍ／ｃｍ2以下であることがより好ましい。あて材２の厚み及びＷＣ値をこのような数値範囲とすることで、クッション性及び肌触りを向上させることができる。
【００３３】
また、一般に、あて材２の表面２ａが親油性層２２で形成されている場合には、このような親油性層２２がない場合に比べると、体液は親水性層２１へ吸収されにくいと言える。しかしながら、体液吸収物品１の皮膚への装着時には、多少なりともあて材２が捩れ、あて材２の表面２ａに配置される親油性層２２にシワが形成される。このシワは、あて材２の表面２ａにエンボス効果を生じさせ、あて材２の表面２ａに付着した体液の表面張力を低下させることができる。その結果、体液が親油性層２２に浸入し易くなり、親油性層２２を介して親水性層２１へと素早く移動することができる。また、使用につれて、あて材２のシワは増えてゆく。その結果、使用につれて、エンボス効果が増し、あて材２の体液の吸収力が増すため、使用につれて、吸収力が低下することが抑制される。なお、同様の効果を奏するべく、親油性層２２の上面に予めエンボス加工を施し、凹凸を形成しておいてもよい。また、上述したあて材２のＷＣ値の数値範囲は、あて材２に適度なシワを形成され易くするものであり、かかる観点からも好ましいと言える。
【００３４】
＜２−３．シート材＞
続いて、シート材３について説明する。シート材３の形状は、特に限定されないが、本実施形態では、平面視において概ね細長い矩形状であり、より正確には、矩形の長辺を円弧状に内側に湾曲させたような形状を有する。上述のあて材２は、シート材３の長手方向の中央部分に配置されており、平面視においてシート材３の輪郭を形成する長辺に沿っている。
【００３５】
図５は、シート材３の部分拡大側面図である。シート材３は、上記のとおり、シート本体３０と、シート本体３０上に形成される粘着層３１とを含み、粘着層３１が皮膚への貼着面となる。また、この粘着層３１により、上述のあて材２とシート材３とが強固に結合される。
【００３６】
シート本体３０は、疎水性の材料からなる。好ましくは、シート本体３０は、ポリプロピレン、ポリエチレン、ポリエチレンテレフタレート、ポリエステル、ポリアミド等から構成される。また、シート本体３０は、液透過性であり、内部に微細な空間が形成された構造を有し、本実施形態では、不織布からなる。しかしながら、この例に限らず、シート本体３０は、例えば、織布や紙等の他の疎水性の繊維から構成される構造体とすることもできる。また、シート本体３０は、液不透過性のシートとすることもできる。ただし、風合いを確保する観点からは、シート本体３０の材料としては、不織布が選択されることが好ましい。なお、シート本体３０は、非疎水性からなる材料に撥水処理を施すことで形成されてもよい。
【００３７】
粘着層３１は、上記のとおり、シート本体３０の皮膚側の表面上に形成され、皮膚に貼り付けられることで、皮膚に対し体液吸収物品１を固定する。粘着層３１は、シート材３の表層を構成し、粘着層３１には、多数の溝からなる溝パターンが形成されている。本実施形態では、この溝パターンは、図２及び図３に示すとおり、シート材３の表面３ａの全域に亘って形成されている。なお、好ましくは、この溝パターンは、シート本体３０の表面に粘着層３１を構成する粘着剤を塗工する際に、これと同時に形成する。
【００３８】
図６は、シート材３の部分拡大平面図である。本実施形態では、溝パターンは、互いに概ね平行に延びる多数の第１溝４１と、第１溝４１に交差し、互いに平行に延びる多数の第２溝４２とから構成される。第１溝４１は、シート材３の短手方向に概ね平行に延びており、第２溝４２は、第１溝４１に直交する方向、すなわち、シート材３の長手方向に概ね平行に延びている。このような溝パターンにより、あて材２で吸収されず、シート材３の表面３ａ上に漏出してしまった体液は、シート材３の表面３ａの溝４１，４２に捉えられ、そこで保持される。また、シート本体３０が、疎水性の材料から構成され、かつ粘着層３１が存在することにより、シート材３の表面３ａ上に漏出した体液が直ちにシート本体３０の隙間に入り込むことがない。そのため、体液は、外部に浸み出す前に、毛細管現象により、溝４１，４２に保持されながらシート材３上を移動する。その結果、体液がシート材３上で分散し、シート３全体に設けられた溝４１，４２によって体液が保持可能となる。これにより、体液の外部への漏れを防ぐことができる。
【００３９】
また、図６に示すとおり、本実施形態に係る第１溝４１は、短手方向に沿ってシート材３の端から端まで連続的に直線状に延びている。これにより、シート材３は、長手方向に湾曲し易く、その結果、皮膚表面により密着することができる。一方で、本実施形態に係る第２溝４２は、長手方向に沿ってシート材３の端から端まで連続的に直線状に延びておらず、長手方向に途切れながら直線状に延びている。一方で、第２溝４２は、第１溝４１に連結している。これにより、体液は、第１溝４１に沿って進みつつ、第２溝４２で折れ曲がりながら、シート材３の表面３ａ上でジグザグに進むことになり、シート材３の表面３ａ上でより広範囲に広がることができる。
【００４０】
粘着層３１を構成する粘着剤としては、ゴム系、アクリル系、ウレタン系、シリコン系等、様々なものを選択することができる。また、上記のとおり、毛細管現象によりシート本体３０に体液が浸み込む前に、より確実に体液が上記溝パターンに沿って分散されるよう、粘着層３１を疎水性の粘着剤から構成することができる。このとき、粘着剤でシート本体３０の表面全体をコーティングするようにしてもよい。
【００４１】
シート材３は、皮膚側の表面３ａから下面３ｂにかけて液透過性を有し、また、シート材３の下面３ｂは、体液吸収物品１において皮膚側と反対側の最外面を構成する。すなわち、本実施形態に係る体液吸収物品１には、液不透過性で体液を遮断するような防漏層は設けられていない。これにより、体液吸収物品１の最外面を不織布からなるシート材３により構成することができ、体液吸収物品１の風合いを保つことができる。また、その一方で、上述したシート材３の体液の保持機能により、体液の漏れを防止することができる。
【００４２】
＜３．パッケージ製品＞
図７に、体液吸収物品１と油性薬剤５とを同じ容器１０１に収容したパッケージ製品１００を示す。容器１０１は、箱や袋等の任意の形態とすることができる。油性薬剤５は、チューブやジャー等の任意の容器１０２に充填される。また、１つの容器１０１には、複数の体液吸収物品１を収容することもできる。
【００４３】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００４４】
＜４−１＞
図８に示すように、体液吸収物品１に、液不透過性の防漏層６を設けてもよい。防漏層６は、上記シート材３の最外面のさらに外側に設け、体液吸収物品１の最外面を構成するようにすることもできる。また、防漏層６は、上記シート材３の最外面全体を覆うように設けることもできるし、或いは、上記シート材３の最外面上のあて材２の下方部分にのみ設けることもできる。防漏層６の材質の好ましい例としては、ポリプロピレン、ポリエチレン、ポリエチレンテレフタレート、ポリエステル、ポリアミド等を挙げることができる。
【００４５】
＜４−２＞
上記実施形態では、溝パターンは、粘着層３１に形成されたが、この例に限らず、シート材３の上部に形成されている限り、例えば、粘着層３１に加え、シート本体３０にも形成することができる（図９Ａ参照）。また、シート本体３０のみに溝パターンを形成し、溝パターンの形成されていない箇所に粘着層３１を形成することもできる（図９Ｂ参照）。
【００４６】
＜４−３＞
溝パターンは、上述したものに限られず、例えば、連続的に延びる第１溝４１を長手方向に沿って形成し、途切れながら延びる第２溝４２を短手方向に沿って形成することもできる。また、両溝４１，４２を格子状に配置することもできる。また、両溝４１，４２は直交していなくてもよい。また、両溝４１，４２の少なくとも一方を、非直線状とすることができ、例えば、湾曲させることもできる。
【００４７】
＜４−４＞
上記実施形態では、親油性層２２は、あて材２の最上面２ａを構成したが、あて材２の上部に非常に薄い非親油性の層、例えば、親水性の層を配置し、その下に親油性層２２を配置することもできる。すなわち、親油性層２２は、あて材２の皮膚との接触面２ａに近接した任意の位置に配置することができる。
【００４８】
＜４−５＞
上記実施形態に係る体液吸収物品１は、油性薬剤５を塗布する場合に限らず、薬剤を塗布しない場合や、油性でない薬剤を塗布する場合にも使用することができる。
【００４９】
＜４−６＞
あて材２の構成は、上述したものに限られず、液体保持性（好ましくは、吸水性）を有する限り、任意の形態とすることができる。例えば、親油性層２２を省略することもできる。また、あて材２は、単層体とすることができる。ただし、本変形例においても、あて材２は、不織布から構成されることが好ましく、不織布の材料の好ましい例としては、ポリプロピレン、ポリエチレン、ポリエチレンテレフタレート、ポリエステル、ポリアミド等の疎水性繊維及びパルプ、レーヨン、アセテート等のセルロース系繊維、疎水性繊維を親水化処理して得られる繊維等の親水性繊維が挙げられる。
【符号の説明】
【００５０】
１  体液吸収物品
２  あて材
２１  親水性層
２２  親油性層
３  シート材
３０  シート本体
３１  粘着層
４１  第１溝
４２  第２溝
５  油性薬剤
【図１】
2018057421.tif 000003
【図２】
2018057421.tif 000004
【図３】
2018057421.tif 000005
【図４Ａ】
2018057421.tif 000006
【図４Ｂ】
2018057421.tif 000007
【図４Ｃ】
2018057421.tif 000008
【図４Ｄ】
2018057421.tif 000009
【図５】
2018057421.tif 000010
【図６】
2018057421.tif 000011
【図７】
2018057421.tif 000012
【図８】
2018057421.tif 000013
【図９Ａ】
2018057421.tif 000014
【図９Ｂ】
2018057421.tif 000015